(57)【要約】  受信機は、（ａ）受信した広帯域信号の狭帯域領域が狭帯域干渉の除去に使用されるフィルタに印加されるように、受信した広帯域信号の周波数スペクトルを変換し、（ｂ）狭帯域干渉領域に隣接する各々の狭帯域領域の信号レベルに基づいてこの周波数変換を調節することによって狭帯域干渉をトラッキングする。
2010508755.tif 000002
【特許請求の範囲】
【請求項１】
受信機で使用される方法であって、
受信した広帯域信号の狭帯域領域が狭帯域干渉の除去に使用されるフィルタに印加されるように、前記受信した広帯域信号の周波数スペクトルを変換するステップと、
狭帯域干渉領域に隣接する狭帯域領域の信号レベルに基づいて前記周波数変換を調節することによって、前記狭帯域干渉をトラッキングするステップとを含む方法。
【請求項２】
前記信号レベルはパワー・レベルである、請求項１に記載の方法。
【請求項３】
前記変換するステップは、
狭帯域干渉領域を特定するステップと、
前記特定した狭帯域干渉領域に応じて、前記受信した広帯域信号を変換するように周波数合成器を設定するステップと、
前記狭帯域干渉領域をフィルタリングするステップであって、前記変換した受信した広帯域信号から干渉信号を除去するステップと、
前記変換した受信した広帯域信号の前記狭帯域干渉領域の隣接する各々の狭帯域周波数領域をフィルタリングするステップであって、該隣接する各々の狭帯域周波数領域に存在する信号レベルを測定するステップとを含む、請求項１に記載の方法。
【請求項４】
前記隣接する各々の狭帯域周波数領域の帯域幅が同じである、請求項３に記載の方法。
【請求項５】
前記トラッキングするステップは、
前記狭帯域干渉領域に隣接する各々の狭帯域領域の信号レベルを比較するステップであって、前記狭帯域干渉のドリフト量を求めるステップと、
前記ドリフト量に基づいて前記周波数合成器を調節するステップとを含む、請求項３に記載の方法。
【請求項６】
前記受信した広帯域信号は、ＡＴＳＣ−ＨＤＴＶ（Ａｄｖａｎｃｅｄ  Ｔｅｌｅｖｉｓｉｏｎ  Ｓｙｓｔｅｍｓ  Ｃｏｍｍｉｔｔｅｅ−Ｈｉｇｈ  Ｄｅｆｉｎｉｔｉｏｎ  Ｔｅｌｅｖｉｓｉｏｎ）信号である、請求項１に記載の方法。
【請求項７】
受信した広帯域信号を変換するのに使用される周波数変換器と、
前記変換した受信した広帯域信号から干渉信号を除去するのに使用されるフィルタと、
前記干渉信号に隣接する各々の狭帯域領域をフィルタリングして、前記隣接する各々の狭帯域領域内に存在する信号レベルを測定する少なくとも２つのフィルタとを含む装置であって、
前記周波数変換器は、前記測定された信号レベル間の差に応じて、前記干渉信号をトラッキングする装置。
【請求項８】
前記周波数変換器は調節可能な局部発振器および乗算器を含む、請求項７に記載の装置。
【請求項９】
前記測定された信号レベルはパワー・レベルである、請求項７に記載の装置。
【請求項１０】
前記隣接する各々の狭帯域周波数領域の帯域幅が同じである、請求項７に記載の装置。
【請求項１１】
前記受信した広帯域信号は、ＡＴＳＣ−ＨＤＴＶ（Ａｄｖａｎｃｅｄ  Ｔｅｌｅｖｉｓｉｏｎ  Ｓｙｓｔｅｍｓ  Ｃｏｍｍｉｔｔｅｅ−Ｈｉｇｈ  Ｄｅｆｉｎｉｔｉｏｎ  Ｔｅｌｅｖｉｓｉｏｎ）信号である、請求項７に記載の装置。
【発明の詳細な説明】
【技術分野】
【０００１】
本発明は、一般に通信システムに関し、より詳細には受信機に関する。
【背景技術】
【０００２】
一部の通信システムでは、同一チャネル干渉信号の存在を検出し、これを除去することが望ましい。例えば、米国におけるアナログ地上波テレビジョンからディジタル地上波テレビジョンへの移行期間中には、アナログＮＴＳＣ（Ｎａｔｉｏｎａｌ  Ｔｅｌｅｖｉｓｉｏｎ  Ｓｙｓｔｅｍｓ  Ｃｏｍｍｉｔｔｅｅ）による伝送とディジタルＡＴＳＣ−ＨＤＴＶ（Ａｄｖａｎｃｅｄ  Ｔｅｌｅｖｉｓｉｏｎ  Ｓｙｓｔｅｍｓ  Ｃｏｍｍｉｔｔｅｅ−Ｈｉｇｈ  Ｄｅｆｉｎｉｔｉｏｎ  Ｔｅｌｅｖｉｓｉｏｎ）による伝送が数年間共存することが予想される。従って、ＮＴＳＣ放送信号およびＡＴＳＣ放送信号が、同一の６ＭＨｚ（数百万ヘルツ）幅のチャネルを共用する可能性がある。これを図１に示す。図１は、ディジタルＶＳＢ（残留側波帯）ＡＴＳＣ信号のスペクトルに対するＮＴＳＣ信号の搬送波（ビデオ、オーディオおよびクロマ）の相対的なスペクトル位置を示す図である。従って、ＡＴＳＣ受信機は、ＮＴＳＣ同一チャネル干渉を効率的に検出し、排除することができなければならない。
【０００３】
ＡＴＳＣ−ＨＤＴＶディジタル受信機では、ＮＴＳＣ同一チャネル干渉の排除を櫛形フィルタによって行うことができる（例えば、米国Ａｄｖａｎｃｅｄ  Ｔｅｌｅｖｉｓｉｏｎ  Ｓｙｓｔｅｍｓ  Ｃｏｍｍｉｔｔｅｅ、「ＡＴＳＣ  Ｄｉｇｉｔａｌ  Ｔｅｌｅｖｉｓｉｏｎ  Ｓｔａｎｄａｒｄ」、ドキュメントＡ／５３、１９９５年９月１６日を参照）。櫛形フィルタは、ＮＴＳＣ信号搬送波の位置またはその近傍にスペクトル・ヌルを有する１２シンボル線形フィード・フォワード・フィルタであり、ＮＴＳＣ干渉が検出されたときにのみ適用される（例えば、米国Ａｄｖａｎｃｅｄ  Ｔｅｌｅｖｉｓｉｏｎ  Ｓｙｓｔｅｍｓ  Ｃｏｍｍｉｔｔｅｅ、「Ｇｕｉｄｅ  ｔｏ  ｔｈｅ  Ｕｓｅ  ｏｆ  ｔｈｅ  ＡＴＳＣ  Ｄｉｇｉｔａｌ  Ｔｅｌｅｖｉｓｉｏｎ  Ｓｔａｎｄａｒｄ」、ドキュメントＡ／５４、１９９５年１０月４日を参照）。櫛形フィルタは、１６ｄＢ（デシベル）までのＤ／Ｕ信号パワー比では効果的なＮＴＳＣ信号排除を行うことが試験から分かっている。Ｄ／Ｕ信号パワー比は、平均ディジタルＶＳＢ  ＡＴＳＣ信号パワーをピークＮＴＳＣ信号パワーで割った値として定義される。
【０００４】
このように、ＮＴＳＣ同一チャネル干渉を除去する方法は、通常は、櫛形フィルタを使用可能な状態でデータ経路に入れておき、受信機の畳み込みデコーダにおいてその存在を補償するものである。残念ながら、この方法では、ハードウェアの実装が非常に複雑になり、コストも高くなる。
【発明の概要】
【０００５】
本発明の原理によれば、受信機は、（ａ）受信した広帯域信号の狭帯域領域が狭帯域干渉の除去に使用されるフィルタに印加されるように、受信した広帯域信号の周波数スペクトルを変換し、（ｂ）狭帯域干渉領域に隣接する各々の狭帯域領域の信号レベルに基づいてこの周波数変換を調節することによって狭帯域干渉をトラッキングする。
【０００６】
本発明の例示的な実施例では、受信機は、受信した広帯域信号の周波数スペクトルを変換するための周波数合成器および乗算器と、狭帯域干渉を除去するための低域フィルタと、狭帯域干渉をトラッキングするために周波数合成器を調節するのに使用されるエラー信号を生成するために狭帯域干渉に隣接する信号のパワー・レベルを測定するのに使用される帯域フィルタとを含む。
【０００７】
上記に鑑みて、また以下の詳細な説明を読めば明らかになるように、その他の実施例および特徴も可能であり、それらは本発明の原理に含まれるものとする。
【図面の簡単な説明】
【０００８】
【図１】ＮＴＳＣ信号スペクトルおよびＡＴＳＣ信号スペクトルの比較を示す図である。
【図２】本発明の原理を実施した受信機を示す例示的なハイレベル・ブロック図である。
【図３】図２の受信機１５で使用される例示的なフローチャートを示す図である。
【図４】図３のフローチャートを理解するために使用される周波数スペクトルを示す図である。
【図５】図３のフローチャートを理解するために使用される他の周波数スペクトルを示す図である。
【図６】図２の受信機１５で使用される例示的な実施例を示す図である。
【図７】図２の受信機１５で使用される他の例示的な実施例を示す図である。
【図８】本発明の原理による狭帯域干渉除去装置の例示的な実施例を示す図である。
【図９】本発明の原理による狭帯域干渉除去装置の例示的な実施例を示す図である。
【図１０】本発明の原理による例示的なフローチャートを示す図である。
【図１１】本発明の原理による他の例示的なフローチャートを示す図である。
【発明を実施するための形態】
【０００９】
本発明の概念を除けば、図面に示す要素は周知であり、詳細には説明しない。また、テレビジョン放送および受信機には精通していることを前提とし、それらについても本明細書では詳細には説明しない。例えば、本発明の概念を除けば、ＮＴＳＣ（Ｎａｔｉｏｎａｌ  Ｔｅｌｅｖｉｓｉｏｎ  Ｓｙｓｔｅｍｓ  Ｃｏｍｍｉｔｔｅｅ）、ＰＡＬ（Ｐｈａｓｅ  Ａｌｔｅｒｎａｔｉｏｎ  Ｌｉｎｅｓ）、ＳＥＣＡＭ（ＳＥｑｕｅｎｔｉａｌ  Ｃｏｕｌｅｕｒ  Ａｖｅｃ  Ｍｅｍｏｉｒｅ）、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）およびＶＢＩ符号化など、ＴＶ標準の現行および提案されている推奨事項に精通していることを前提とする。同様に、本発明の概念を除けば、８レベル残留側波帯（８−ＶＳＢ）、直交振幅変調（ＱＡＭ）、ならびに低雑音ブロック、チューナ、および復調器などの無線周波（ＲＦ）フロント・エンドまたは受信部などの受信機コンポーネントなどの、伝送の概念に精通していることを前提とする。同様に、トランスポート・ビット・ストリームを生成するフォーマット方法および符号化方法（Ｍｏｖｉｎｇ  Ｐｉｃｔｕｒｅ  Ｅｘｐｅｒｔ  Ｇｒｏｕｐ（ＭＰＥＧ）−２  Ｓｙｓｔｅｍｓ標準（ＩＳＯ／ＩＥＣ１３８１８−１））は周知であり、本明細書では説明しない。また、本発明の概念は、それ自体については本明細書で説明しない従来のプログラミング技術を用いて実施することもできることにも留意されたい。最後に、図面において同じ番号は同じ要素を示している。
【００１０】
図２は、本発明の原理による例示的な装置１０を示すハイレベル・ブロック図である。装置１０は、受信機１５を含む。以下で述べるように、受信機１５は、本発明の原理に従って放送信号１１を受信し、出力信号１２を供給するように機能する。例えば、装置１０は、セット・トップ・ボックス（ケーブル、衛星など）、ＴＶ受像機、パーソナル・コンピュータ、携帯電話（例えば映像出力を備えたもの）などである。この点に関して、出力信号１２は、破線矢印１４で示すように別の装置に伝送する、またはディスプレイに供給する前に、装置１０で（楕円ドット１３で示すように）さらに処理することもできる。例えば、セット・トップ・ボックスの場合には、破線矢印１４は再変調されたビデオ信号（例えばチャネル４に対応する周波数のビデオ信号）を表し、フラットパネルＴＶの場合には、破線矢印１４は、表示要素（例えばフラットパネル、陰極線管（ＣＲＴ）など）に印加される前のベースバンド・ビデオ信号を表す。
【００１１】
この例では、受信機１５はＡＴＳＣ互換性受信機である。ただし、本発明の概念はこれに限定されるわけではない。このＡＴＳＣの例では、受信機１５はＮＴＳＣ互換であってもよい、すなわち、受信機１５がＮＴＳＣ放送またはＡＴＳＣ放送からのビデオ・コンテンツを処理することができるようにＮＴＳＣ動作モードおよびＡＴＳＣ動作モードを有していてもよいことにも留意されたい。この点で、受信機１５はマルチメディア受信機の一例である。ただし、ここではＡＴＳＣ動作モードについて述べる。受信機１５は、（例えばアンテナ（図示せず）を介して）放送信号１１を受信し、そこから出力ビデオ信号１２、例えばビデオ・コンテンツを視聴するためのディスプレイ（図示せず）に印加するＨＤＴＶ信号を復元するための処理を行う。上述のように、また図１に示すように、放送信号１１は広帯域信号であり、ＡＴＳＣ放送信号だけでなく同一チャネルのＮＴＳＣ放送信号による干渉を含みうる。これに関して、図２の受信機１５は、ＮＴＳＣ信号干渉を除去するための本発明の原理による排除フィルタを含み、さらに干渉検出器も含む。
【００１２】
次に図３を参照すると、受信機１５で使用される例示的なフローチャートが示されている。同時に、例示的な広帯域周波数チャネル５１に関する図３のフローチャートの動作を示す図４も参照されたい。図４のグラフ６０から分かるように、広帯域周波数チャネル５１は、Ｎ−２個の狭帯域周波数領域（５２）に分割される。これらの狭帯域周波数領域の帯域幅は同じである。さらに、広帯域周波数チャネル５１の境界に、さらに２つの狭帯域周波数領域５３、５４がある。従って、狭帯域周波数領域の総数はＮ個である。これらＮ個の狭帯域周波数領域をＫ個単位で検査して、狭帯域干渉信号が存在するかどうかを判定する。この例では、Ｋ＝３である。図３を参照すると、ステップ３０５で、受信機１５は、第１の３つの狭帯域周波数領域を選択する。これら３つの選択された狭帯域周波数領域を、Ａ、ＢおよびＣと表す。これも、図４にグラフ６１として示してある。ステップ３１０で、受信機１５は、これら３つの狭帯域周波数領域の受信信号をフィルタリングし、ステップ３１５で、受信機１５は、その結果得られる狭帯域信号のそれぞれ対応するパワー・レベルＰＡ、ＰＢおよびＰＣを測定する。これらのパワー測定は、当技術分野で既知の方法で、例えば専用の乗算および累算ハードウェアによって、または記憶したフィルタ出力サンプルを読み取り、ソフトウェア・ルーチンによる乗算累算を実行するマイクロプロセッサ・ルーチンによって行うことができる。３つの狭帯域周波数領域の任意の信号のパワー・レベルを測定した後で、受信機１５は、ステップ３２０で、外側の狭帯域周波数領域の測定パワー・レベルＰＡおよびＰＣに基づいてパワー・パラメータを計算する。この例では、以下のパワー・パラメータを求める。
【００１３】
【数１】
2010508755.tif 000003
ただし、その他の数式を使用することもできることに留意されたい。例えば、数式１で用いられる測定値を平均して、マルチパス効果による任意のスペクトル傾斜を考慮に入れることもできる。さらに、その他の線形または非線型のコンビネーションを用いることもできる。最後に、ステップ３２５で、受信機１５は中央の狭帯域周波数領域の測定パワー・レベルＰＢをＰｓｕｍと比較する。測定パワー・レベルＰＢがＰｓｕｍ以下である場合には、受信機１５は、ステップ３３０で、広帯域周波数チャネル全体が掃引されているかどうかを確認する。広帯域周波数チャネル全体がまだ掃引されていない場合には、受信機１５は、次の３つの狭帯域周波数チャネルを選択する。これを、図４にグラフ６２として示す。従って、次の３つの狭帯域周波数領域は、やはり狭帯域周波数領域Ａ、ＢおよびＣで示され、受信機１５は、ステップ３１０などを繰り返す。従って、図４から分かるように、広帯域周波数チャネル５１全体を矢印６６の方向に掃引して、狭帯域干渉信号が存在するかどうか調べる。図４のグラフ６３に示す最後のパス（パスＮ−２）では、最後の３つの狭帯域周波数領域を検査する。図３のステップ３２５を考慮して図４から分かるように、境界にある狭帯域領域５３および５４によって、広帯域周波数チャネル５１の最初および最後の狭帯域周波数領域の検査が容易になる。受信機１５は、ステップ３３０で狭帯域干渉信号を検出することなく広帯域周波数全体が掃引されたと判定すると、ステップ３３５で、干渉信号は存在しないと宣言する。
【００１４】
一方、図３のステップ３２５で、測定パワー・レベルＰＢがＰｓｕｍを超える場合には、受信機１５は、ステップ３４０で、狭帯域干渉信号が存在すると宣言する。その他の変形形態も可能であることに留意されたい。例えば、受信機１５は、ＰＢがＰｓｕｍより大幅に大きいときにのみ狭帯域干渉信号が存在すると宣言してもよい。狭帯域干渉信号が存在するか否かを判定した後、受信機１５は処理を継続する（図示せず）。
【００１５】
受信機１５が狭帯域干渉を検出しても、当該狭帯域干渉が単に広帯域または狭帯域の同一チャネル干渉の存在を表しているに過ぎない場合もあることに留意されたい。これを、受信機１５がＡＴＳＣシステムの一部であるとして、図５に示す。図５は、ＡＴＳＣ放送信号２０１と、ＮＴＳＣビデオ搬送波２０２が存在する場合に示されるＮＴＳＣ同一チャネル干渉信号との例示的な周波数スペクトルを示している。図５から分かるように、また図３のフローチャートによれば、受信機１５は、最終的には、３つの狭帯域周波数領域２１１（Ａ）、２１２（Ｂ）および２１３（Ｃ）を検査することになる。図３のステップ３２５で、受信機１５は、狭帯域周波数領域２１２（Ｂ）内のＮＴＳＣビデオ搬送波２０２の存在を検出する。従って、受信機１５は、ステップ３４０で、ＮＴＳＣ同一チャネル干渉が存在すると宣言する。
【００１６】
上記に鑑みて、広帯域周波数チャネルを検査し、またはサンプリングして、少なくとも１つの干渉信号が存在するかどうか調べる。図３のフローチャートに様々な変更を加えることも可能であることに留意されたい。例えば、発生しうる干渉信号の周波数特性がアプリオリに分かっていれば、広帯域周波数チャネルの部分のみを検査するように図３のフローチャートを修正することもできる。同様に、干渉信号を含む狭帯域周波数領域を記録するようにステップ３４０を修正することもできる。同様に、最初の干渉信号を検出した後も掃引を継続して、その他の干渉信号の存在および／または位置を求めることも可能である。最後に、図４の矢印６６は１つの特定の掃引方向を示しているが、広帯域周波数チャネルまたはその一部は、任意の順序で、または任意の方向に検査することができる。
【００１７】
次に図６を参照すると、図３のフローチャートで使用される、干渉検出器を含む受信機１５の例示的な一部が示されている。受信機１５は、プロセッサ型システムであり、プロセッサ１９０およびメモリ１９５として破線で示すように、１つまたは複数のプロセッサ及びそれに結合されたメモリ（図示せず）を含む。この例では、結合されたメモリは、プロセッサ１９０が実行するコンピュータ・プログラムまたはソフトウェアを記憶し、且つデータを記憶するために使用される。プロセッサ１９０は、１つまたは複数の記憶プログラム制御プロセッサを代表して表すものであり、これらは干渉検出機能の専用である必要はなく、例えば、プロセッサ１９０は、装置１０のその他の機能を制御することもできる。受信機１５の説明を続けると、ＲＦフロント・エンド（図示せず）は、ダウン・コンバート信号１０９を供給する。ダウン・コンバート信号１０９は、Ａ／Ｄ変換器１１０に供給され、Ａ／Ｄ変換器１１０は、ダウン・コンバート信号１０９をサンプリングして、この信号をディジタル領域に変換し、サンプル・シーケンス１１１を復調器１１５に供給する。復調器１１５は、当技術分野で既知のように、自動利得制御（ＡＧＣ）ブロック、シンボル・タイミング回復（ＳＴＲ）ブロック、搬送波追尾ループ（ＣＴＬ）ブロックおよびその他の機能ブロックを含み、信号１１１を復調して復調信号１１６を等化器１２０に供給する。等化器１２０は、復調信号１１６を処理するためのプログラマブル有限インパルス応答（ＦＩＲ）フィルタ（図示せず）を含む。等化器１２０は、入力信号に適応していないことに留意されたい。具体的には、等化器１２０は「フローズン（ｆｒｏｚｅｎ）」であり、ＦＩＲ部分の各タップが何らかの特定のスペクトル位置において帯域フィルタとなるようにプログラムされている。また、帯域フィルタと同じ有効パワー応答を実現するように無限インパルス応答（ＩＩＲ）フィルタを実装することができることにも留意されたい。実際には、この応用分野では出力信号の位相特性が無関係であるので、ＩＩＲフィルタを使用することによって、実装態様が簡略化されることになる可能性がある。等化器１２０は信号１２１をパワー検出器１２５に供給し、パワー検出器１２５は信号１２１を処理して、干渉信号が存在するか否かを表す信号１２６を供給する。具体的には、Ｋ＝３個の狭帯域周波数領域ごとに、プロセッサ１９０は、制御信号１１９によって等化器１２０のプログラマブルＦＩＲを狭帯域周波数領域Ａ、ＢおよびＣの１つに設定し、復調信号１１６をフィルタリングする（図３のステップ３１０）。プロセッサ１９０は、等化器１２０が狭帯域周波数領域Ａ、ＢおよびＣに同調したときに、制御信号１１９によって、信号１２１の対応するパワー・レベルＰＡ、ＰＢおよびＰＣをそれぞれ測定するようにパワー検出器１２５を制御する（図３のステップ３１５）。３つの狭帯域周波数領域の任意の信号のパワー・レベルを測定した後で、パワー検出器１２５は、数式（１）に従ってＰｓｕｍを計算する（図３のステップ３２０）。最後に、パワー検出器１２５は、測定パワー・レベルＰＢをＰｓｕｍと比較する（図３のステップ３２５）。パワー検出器１２５が信号１２６によって干渉信号が存在すると宣言しない場合には、プロセッサ１９０は、上述のように広帯域周波数チャネルの掃引を継続し、次の３つの狭帯域周波数領域を選択する。しかし、パワー検出器１２５が信号１２６によって干渉信号が存在すると宣言した場合には（図３のステップ３４０）、プロセッサ１９０はその狭帯域周波数領域を干渉信号を含んでいるものとしてマークする。
【００１８】
次に図７を参照すると、図３のフローチャートで使用される、受信機１５で使用される干渉検出器４００の他の例示的な実施例が示してある。例えば、検出器４００は、プロセッサ型システムであり、プロセッサ４９０およびメモリ４９５として破線で示されているような、１つまたは複数のプロセッサ及びそれに結合されたメモリ（図示せず）を含む。検出器４００は、掃引局部発振器（ＬＯ）４５０と、乗算器（ミキサ）４０５と、選択フィルタ４１０および４３０と、パワー検出器４１５および４３５と、２分割要素４４０と、加算器４２９と、しきい値比較器４２５とを含む。掃引ＬＯ４５０の周波数は、制御信号４５１を介してプロセッサ４９０によって調節される。選択フィルタ４１０および４３０は、それぞれローパス・フィルタおよびバンドパス・フィルタである。ローパス・フィルタ４１０は、中央の狭帯域周波数領域Ｂをフィルタリングするための例示的な周波数応答４８１を有する。同様に、バンドパス・フィルタ４３０は、外側の狭帯域周波数領域ＡおよびＣをフィルタリングする例示的な周波数応答４８２を有する。その結果、３つの狭帯域周波数領域は、周波数応答４８３で示すようにフィルタリングされる。掃引ＬＯ４５０の周波数がプロセッサ４９０によって調節されると、乗算器４０５は、入力信号４０４の周波数をシフトして、信号４０６をローパス・フィルタ４１０およびバンドパス・フィルタ４３０に供給する。信号４０６は、本明細書では、信号４０４の「変換像」とも呼ぶ。その結果、掃引ＬＯ４５０の周波数を変化させることにより、信号４０６の周波数範囲をシフトさせ、選択フィルタ４１０および４３０が広帯域周波数チャネルの異なる領域をフィルタリングするようにすることができる。従って、広帯域周波数チャネルの選択された各周波数領域について、ローパス・フィルタ４１０は中央の狭帯域周波数領域Ｂをフィルタリングし、バンドパス・フィルタ４３０は外側の狭帯域周波数領域ＡおよびＣをフィルタリングする（図３のステップ３１０）。掃引ＬＯの信号は歩調を合わせることができ、よって、パワー検出器４１５および４３５が、フィルタリング済み信号４１１および４３１から、測定パワー・レベル４１６および４３６をそれぞれ供給するのに十分なサンプルをそれぞれ蓄積するのを待機する。上述のように、パワー検出器４１５は、信号４１６によって測定パワー・レベルＰＢを供給し、パワー検出器４３５は、信号４３６によってＰＡとＰＣの和を供給する。次いで、信号４３６が要素４４０によって２分割され、信号４４１によってＰｓｕｍが供給される（ステップ３１５および３２０）。加算器４２０は、ＰＢからＰｓｕｍを減算し、その結果得られた信号４２１を、信号４２６によって干渉信号の存在を示すしきい値比較器４２５に供給する（ステップ３２５および３４０）。干渉信号が検出されない場合には、次の３つの狭帯域周波数領域などを検査するように掃引ＬＯの周波数を調節する。このように、検出器４００は、広帯域周波数チャネルの全体または一部を検査して、干渉信号が存在するかどうか調べることができる。
【００１９】
上述のように、干渉信号の検出後に、受信機１５が当該干渉信号を除去または排除しようとする場合もある。ＡＴＳＣシステムでＮＴＳＣ同一チャネル干渉信号を使用する場合の上述の櫛形フィルタが、その一例である。従って、ＮＴＳＣ同一チャネル干渉を除去する方法は、通常は、櫛形フィルタを使用可能な状態でデータ経路に入れておき、受信機の畳み込みデコーダ（図示せず）においてその存在を補償するものである。この場合、ハードウェアの実装が非常に複雑になり、コストも高くなる。従って、本発明の原理によれば、受信機は、（ａ）受信した広帯域信号の狭帯域領域が狭帯域干渉の除去に使用されるフィルタに印加されるように、受信した広帯域信号の周波数スペクトルを変換し、（ｂ）狭帯域干渉領域に隣接する狭帯域領域の信号レベルに基づいてこの周波数変換を調節することによって狭帯域干渉をトラッキングする。
【００２０】
こうした複雑さやコストを低減する、本発明の原理による例示的な狭帯域干渉除去装置８００を図８および図９に示す。狭帯域干渉除去装置８００は、ＮＴＳＣ同一チャネル干渉の除去に限定されるわけではなく、その他のタイプの狭帯域干渉の除去にも使用することができることに留意されたい。
【００２１】
狭帯域干渉除去装置８００は、乗算器（ミキサ）８０５および８４５と、周波数合成器８５０と、選択フィルタ８１０、８１５および８２０と、パワー検出器８２５および８３０と、加算器８３５とを含む。周波数合成器８５０は、例えば図７に示す信号４２６によって、狭帯域干渉信号の検出を知らされる。この例では、信号４２６は、干渉信号を含む狭帯域周波数領域に関する情報も含むものと仮定している。狭帯域干渉信号が検出されると、周波数合成器８５０は周波数を生成し、信号８５２によって、受信した広帯域信号を表す入力信号８０４の周波数をシフトし、かつ検出された狭帯域干渉信号を除去する乗算器８０５に送る。この点に関して、選択フィルタは、図９に示すような周波数応答を有する。具体的には、乗算器８０５が狭帯域干渉をＤＣに移動させ、選択フィルタ８１０が周波数応答７０１で示すようなノッチ型応答で干渉を減衰させる。その結果、選択フィルタ８１０は、検出された狭帯域干渉を除去し、フィルタリング済み信号８１１を乗算器８４５に供給する。乗算器８４５は、出力信号８４６の信号スペクトルがその入力スペクトル位置（すなわち入力信号８０４と同じスペクトル位置）に復元されるように、周波数合成器８５０から信号８５１を介して補周波数を受信する。選択フィルタ８１５および８２０は、周波数応答７０２および７０３で示すように、検出された狭帯域干渉に隣接する周波数領域をフィルタリングする。
【００２２】
選択フィルタ８１５および８２０は、干渉物の周波数が検出後にずれた場合、または最初の周波数推定にわずかな誤りがあった場合に、選択フィルタ８１０が干渉からずれないように保つ働きをすることに留意されたい。例えば、干渉の周波数が低くなった場合、すなわち選択フィルタ８１５の周波数領域に近づいた場合には、パワー検出器８２５が検出する信号８１６のパワー・レベルは増加するが、パワー検出器８３０が検出する選択フィルタ８２０からの信号８２１のパワー・レベルは低下する。加算器８３５は、パワー検出器８２５および８３０からそれぞれ供給される測定パワー・レベル８２６および８３１からエラー信号８３６を生成するために使用される。周波数合成器８５０は、エラー信号８３６に応じて、信号８５２の周波数を適当に調節し、その出力周波数を低下させ、それにより狭帯域干渉をトラッキングすることができる。同様に、干渉物の周波数が上昇した場合、すなわち選択フィルタ８２０の周波数領域に近づいた場合には、逆のことがあてはまる。この場合には、エラー信号８３６によって、周波数合成器８５０が信号８５２の周波数を高める。図８に示す実施例は、複数の干渉信号を扱うように修正することができることに留意されたい。例えば、Ｎ個（複数）の狭帯域干渉を扱うためには、上述の検出器回路をＮ個並列に実装して、対応するＮ組の干渉排除回路を連続的に動作させればよい。
【００２３】
本発明の原理による例示的なフローチャートを、図１０に示す。ステップ９０５で、受信機１５は、受信した広帯域信号を変換する周波数を設定する。この周波数は、例えば、図３、図６または図７に示す上述の狭帯域干渉検出器によって定められる。ステップ９１０で、受信機１５は、この設定した周波数に応じて受信した広帯域信号を変換する。ステップ９１５で、受信機１５は、（例えばフィルタリングによって）この変換した広帯域信号から狭帯域干渉を除去する。ステップ９２０で、受信機１５は、検出した狭帯域干渉領域に隣接する狭帯域周波数領域のパワー・レベルを測定する。ステップ９２５で、受信機１５は、パワー・レベルを比較することによって、この狭帯域干渉がドリフトしているかどうかを判定する。狭帯域干渉がドリフトしている場合には、受信機１５は、ステップ９０５でパワー・レベルの比較に基づいて周波数を調節し、後続のステップを再度引き続き行う。一方、狭帯域干渉がドリフトしていない場合には、受信機１５は、ステップ９１５を引き続き行う。
【００２４】
本発明の概念の別の例示的な実施例を、図１１に示す。この例示的な実施例では、受信機（図示せず）で使用される集積回路（ＩＣ）６０５は、狭帯域周波数除去装置６２０と、バス６５１に結合された少なくとも１つのレジスタ６１０とを含む。例えば、ＩＣ６０５は、一体型アナログ／ディジタル・テレビジョン・デコーダである。ただし、図示してあるのは、ＩＣ６０５のうち本発明の概念と関わりのある部分のみである。例えば、簡略化のために、アナログ・ディジタル変換器、フィルタ、デコーダなどは図示していない。バス６５１は、プロセッサ６５０で示されているような受信機のその他のコンポーネントとの通信を実現する。レジスタ６１０は、ＩＣ６０５の１つまたは複数のレジスタを代表して表すものであり、その各レジスタは、ビット６０９で示されているような１つまたは複数のビットを含む。ＩＣ６０５のレジスタまたはその一部は、読取り専用でも、書込み専用でも、読み書き可能でもよい。本発明の原理によれば、狭帯域周波数除去装置６２０は、上述の干渉除去装置の機能または動作モードを含み、レジスタ６１０の少なくとも１つのビット、例えばビット６０９は、例えばこの動作モードを使用可能または使用不能にするようにプロセッサ６５０によって設定することができるプログラマブル・ビットである。図１１に示す例では、ＩＣ６０５は、ＩＣ６０５の入力ピンまたはリードを介して処理対象のＩＦ信号６０１を受信する。この信号の派生信号６０２が狭帯域周波数除去装置６２０に印加され、上述のように狭帯域干渉が除去される。狭帯域周波数除去装置６２０は、フィルタリング済み信号（例えば図８の信号８４６）である信号６２１を供給する。狭帯域周波数除去装置６２０は、内部バス６１１を介してレジスタ６１０に結合される。内部バス６１１は、当技術分野で既知のように、ＩＣ６０５の、（例えば前述の積分器およびカウンタの値を読み取るために）狭帯域周波数除去装置６２０とレジスタ６１０のインタフェースを取るためのその他の信号経路および／またはコンポーネントを表している。ＩＣ６０５は、信号６０６で示されているような、例えば合成ビデオ信号である１つまたは複数の復元信号を供給する。本発明の原理によれば、ＩＣ６０５のその他の変形形態も可能であり、例えばビット６０９によるこの動作モードの外部制御が不要であり、ＩＣ６０５が上述の処理を単純に常に実行して狭帯域干渉信号を除去するようにすることもできることに留意されたい。
【００２５】
上述の説明は単に本発明の原理を例示するものであり、従って、当業者なら、本明細書には明示していないが、本発明の原理を実施する本発明の趣旨および範囲内に含まれる多数の代替構成を考案することができることを理解されたい。例えば、別個の機能要素の例を示したが、これらの機能要素は、１つまたは複数の集積回路（ＩＣ）上に実装することもできる。同様に、別個の要素として示したが、これらの要素の何れかまたは全てを、例えば図１０に示すステップの１つまたは複数に対応する関連するソフトウェアを実行する記憶プログラム制御式プロセッサ、例えばディジタル信号プロセッサまたはマイクロプロセッサ内に実装することもできる。例えば、上述の狭帯域干渉除去装置は、受信信号を処理する、ハードウェアおよび／あるいは１つまたは複数のソフトウェア・サブルーチンであってもよい。さらに、受信機１５内にまとめた要素として示したが、受信機１５の要素は、異なるユニットまたは装置に分散させることもできる。従って、例示的な実施例には多数の修正を加えることができること、ならびに添付の特許請求の範囲に定義する本発明の趣旨および範囲を逸脱することなくその他の構成を考案することができることを理解されたい。
【図１】
2010508755.tif 000004
【図２】
2010508755.tif 000005
【図３】
2010508755.tif 000006
【図４】
2010508755.tif 000007
【図５】
2010508755.tif 000008
【図６】
2010508755.tif 000009
【図７】
2010508755.tif 000010
【図８】
2010508755.tif 000011
【図９】
2010508755.tif 000012
【図１０】
2010508755.tif 000013
【図１１】
2010508755.tif 000014
【国際調査報告】
2010508755.tif 000015
2010508755.tif 000016